(57)【特許請求の範囲】
【請求項１】
遊技動作を制御する回路基板を固定するための固定側ケースと、この固定側ケースと整合する被覆側ケースとによって、これら両ケースの内部に前記回路基板を封印して収納させるための構造であって、
前記固定側ケースは長方形状をなす金属製であって複数の引っ掛け孔を有し、前記被覆側ケースは長方形状をなす鋼板の周縁部を折り曲げることで側壁を形成した箱形をなすと共に窓孔が開口されており、前記被覆側ケースの対向する一対の前記側壁にそれぞれ係止突部が前記箱形の内方に向けて切り起こし形成され、前記被覆側ケースの裏面側に前記窓孔を塞ぎかつ前記被覆側ケースの一対の側壁内面に沿うと共に前記各係止突部に対応した係止片部を有する透明なプラスチック製の閉鎖板が装着されて前記係止突部により係止され、かつ、前記被覆側ケースの側縁に形成した引っ掛け片を前記固定側ケースに形成した引っ掛け孔に係合させると共に、前記被覆側ケースの前記側壁のうち前記引っ掛け片を形成した側壁とは反対側の側壁の縁部から折り曲げ形成された取付片を前記固定側ケースに設けたボス部にねじ止めすることで前記両ケースが互いに固定されると共に、前記閉鎖板に規制片を前記被覆側ケース外に突出するように延出形成する一方、前記固定側ケースには樹脂製のかしめ片を前記固定側ケース外に突出するように設け、前記規制片及び前記かしめ片の突出した端部相互が接着されることによって両ケースの封印がなされていることを特徴とするパチンコ機における基板収納ボックスの封印構造。
【発明の詳細な説明】
【０００１】
【発明の属する技術分野】
本発明は、パチンコ機における基板収納ボックスの封印構造に関するものである。
【０００２】
【従来の技術】
パチンコ機には、可変表示装置に可変表示される図柄が所定の図柄で停止した場合に大当たりとするものがある。このようなパチンコ機には、通常、可変表示装置を制御するためにＣＰＵ等を備えた回路基板が設けられている。そして、この回路基板は遊技盤の裏面に装着される基板収納ボックス内に収納されている。基板収納ボックスは固定側のケースと、これに被覆される被覆側ケースとからなっているが、不正な改造がなされないよう、ケースの開放は厳重に監視されることが要求されている。このため、従来より、両ケースの合わせ面に封印紙を貼り付けることが行われてきた。
【０００３】
【発明が解決しようとする課題】
しかしながら、封印紙といえども破られずにそのまま剥離してしまう可能性は完全に否定できるものではない。従来は封印の証となるものは封印紙の切断の有無のみであり、万一、封印紙が巧みに剥されるような事態が起きたときには直ちに不正改造の危機に晒されることとなっていた。かくして、より封印の完全性を達成する手段が求められていた。
本発明は上記した従来の問題点に鑑みて開発工夫されたものであり、その目的とするところは、確実な封印を行うことができる封印構造を提供することである。
【０００４】
【課題を解決するための手段】
上記の目的を達成するための請求項１の発明は、遊技動作を制御する回路基板を固定するための固定側ケースと、この固定側ケースと整合する被覆側ケースとによって、これら両ケースの内部に回路基板を封印して収納させるための構造であって、前記固定側ケースは長方形状をなす鋼板製であって複数の引っ掛け孔を有し、前記被覆側ケースは長方形状をなす鋼板の周縁部を折り曲げることで側壁を形成した箱形をなすと共に窓孔が開口されており、前記被覆側ケースの前記側壁に係止突部が前記箱形の内方に向けて切り起こし形成され、前記被覆側ケースの裏面側に前記窓孔を塞ぎかつ前記被覆側ケースの一対の側壁内面に沿うと共に前記各係止突部に対応した係止片部を有する透明なプラスチック製の閉鎖板が装着されて前記係止突部により係止され、かつ、前記被覆側ケースの側縁に形成した引掛け片を前記固定側ケースに形成した引掛け孔に係合させると共に、前記被覆側ケースの前記側壁のうち前記引っ掛け孔を形成した側壁とは反対側の側壁の縁部から折り曲げ形成された取付片を前記固定側ケースに設けたボス部にねじ止めすることで前記両ケースが互いに固定されると共に、前記閉鎖板に規制片を前記被覆側ケース外に突出するように延出形成する一方、前記固定側ケースには樹脂製のかしめ片を前記固定側ケース外に突出するように設け、前記規制片及び前記かしめ片の突出した端部相互が接着されることによって両ケースの封印がなされていることに特徴を有する。
【０００５】
【発明の作用及び効果】
請求項１の発明によれば、両ケースにはそれぞれ樹脂部材が端部をケース外へ突出させた状態で設けられているため、回路基板を収納した後、この端部同士を接着することができる。従って、回路基板を収納して樹脂部材の端部同士を接着してしまえば、その後ケースを開放しようとしても、樹脂部材がこれに抗し、もってケースの封印状況が保持される。即ち、接着部分を破壊ないし切断しない限りは、ケースを開放することができないため、その破壊等の痕跡によって封印が解かれたことが明きらかとなる。
【０００６】
【発明の実施の形態】
［第一実施形態］
以下、本発明のパチンコ機における基板収納ボックスの封印構造を具体化した第一実施形態について図１〜図９を参照して説明する。
＜パチンコ機の概略＞
まず、パチンコ機の概略について簡単に説明する。パチンコ機の正面を示す図９において、額縁状に形成されたパチンコ機の前面枠１１には、金枠１２が嵌め込まれており、その金枠１２の開口のうち下側開口部分は前面板１３によって塞がれている。そして、その前面板１３には、打球を貯留しかつ図示しない打球発射装置に打球を供給する上受け皿１４が設けられている。また、金枠１２の開口のうち、上側開口部分には窓枠１５が嵌め込まれ、そこには透明な板硝子１６が嵌め込まれている。さらに、前面枠１１のうち、前面板１３の下方部分には賞球を貯留する下受け皿１７及び打球発射装置を操作するハンドル１８が設けられている。
【０００７】
一方、上記前面枠１１の裏面側には、図８に示す遊技盤１９が装着されるようになっている。これにより窓枠１５内に遊技領域が形成される。また、遊技盤１９の裏面には入賞玉集合カバー２０が装着されている。そして、そこに本発明の封印構造４０を備えた基板収納ボックス２１が折り曲げ形成された金属製のヒンジ片Ｈを介して装着されており、その中に遊技盤１９上の表示装置等の制御を行う回路基板２２が封印されている。
【０００８】
＜基板収納ボックスの構造＞
基板収納ボックス２１は、図１に示すように、回路基板２２を固定するための固定側ケース２３とその回路基板２２を覆う被覆側ケース２４とから構成される。固定側ケース２３は、図２に示すように、長方形状の金属製の鋼板からなり、その４隅にはボス部２５（金属製）が立設されており、各ボス部２５上に回路基板２２がねじ止されるようになっている。また、固定側ケース２３の一方の長辺部２３ａ（図２中、手前側の縁部）のほぼ中央であって僅かに内方寄りの位置にもボス部２６が立設されており、ここには後述するかしめ片４６が回路基板２２上においてねじ止めされるようになっている。さらに、固定側ケース２３における一方の長辺部２３ａ（図２中、手前側の縁部）にはその中央部分に基板保持部２７が形成されており、ここに回路基板２２の一縁部を差し込んで保持できるようにしている。さらに、これとは反対側の長辺部２３ｂ（図２中、奥側の縁部）には長さ方向に沿って延びる細長な引っ掛け孔２８が適当間隔毎に４個形成されている。
【０００９】
一方、被覆側ケース２４は、図３に示すように、長方形状をなす金属製の鋼板の周縁部を下向きに折り曲げて形成されている。そして、この被覆側ケース２４の長さ方向の寸法は固定側ケース２３に等しくなるように設定されているが、幅方向の寸法は固定側ケース２３より僅かに短くなるように設定されている。即ち、固定側ケース２３に対して被覆側ケース２４を後述する方法により正規の閉蓋状態とした場合に、固定側ケース２３の長辺部２３ａ側が僅かに露出するようになっている。また、短辺側の両側壁２４ｃ，２４ｄは、図３中の手前側へ僅かに張り出しており、その張り出し部分の内側には長辺側の側壁２４ａ（図３中、手前側の側壁）の下縁から取付片２９，２９が折り曲げ形成されている。この各取付片２９は、固定側ケース２３に対して被覆側ケース２４を正規の閉蓋状態とした場合に一方の長辺部２３ａ側に位置する両ボス部２５にそれぞれ整合するように設定されており、回路基板２２を挟んだ状態で両ボス部２５に共締めされるようになっている。さらに、取付片２９を形成した側壁２４ａとは反対側の側壁２４ｂ（図３中。奥側の側壁）には、その下縁部に４個の引っ掛け片３０が前記引っ掛け孔２８に対応した間隔かつ内側へ折り曲げられることにより形成されており、被覆側ケース２４を固定側ケース２３に対してほぼ９０度開いた姿勢（図５に示す姿勢）で固定側ケース２３の引っ掛け孔２８へ差し込むことができ、その後、引っ掛け片３０を引っ掛け孔２８に係合させた状態で被覆側ケース２４を固定側ケース２３に対する閉蓋方向（図５中、矢印方向）へ回動させることができるように構成されている。
【００１０】
さらに、被覆側ケース２４の上面部には、図３に示すように、方形状の大きな窓孔３１が開口しており、その周りには図示しないが複数の放熱孔やキー取付孔が開口している。一方、被覆側ケース２４の裏面にはプラスチック製の閉鎖板３２が窓孔３１を塞ぐようにして装着されている。但し、この閉鎖板３２は窓孔３１を通してケース内を覗き見ることができるよう透明なものが使用されている。より具体的には、窓孔３１を透明な閉鎖板３２によって塞ぐのは、基板収納ボックス２１内に収納される回路基板２２上に取り付けられるＲＯＭ（読み出し専用メモリ）の型式番号（例えば、シリアル番号やバージョン番号）等を窓孔３１を通して確認することができるようにするためである。また、被覆側ケース２４の側壁２４ａ，２４ｂには、その内側面に閉鎖板３２の取り付けのために一対の係止受部３３が、それぞれ前後両側（図３中、左右両側）に配され、共に内方へ切り起こすことによって形成されている。
【００１１】
一方、閉鎖板３２は、被覆側ケース２４の上壁面の裏側を覆うだけの大きさを有し、かつ長辺側の内壁面にかけてのＲ部分にも適合するような側縁形状となっている。さらに、閉鎖板３２の前後両側（図３中、左右両側）には、上記各係止受部３３に対応して一対の係止片部３４が突出形成されている。そして、被覆側ケース２４の裏面側に窓孔３１を塞ぐように閉鎖板３２を重ね合わせると各係止片部３４がそれぞれ係止受部３３に係合し、これにより閉鎖板３２が窓孔３１を塞いだ状態で保持される。
【００１２】
＜封印構造＞
次に、封印構造４０について述べる。固定側ケース２３の長辺部２３ｂの中央部分及び一方の短辺部２３ｃの中央部分には、それぞれ突出片４１，４２が上向きに折り曲げ形成されている。また、被覆側ケース２４において長辺側の側壁２４ｂ及び短辺側の側壁２４ｄの中央部分には、それぞれ上記各突出片４１，４２に対応して切欠部４３，４４が形成されている。そして、固定側ケース２３に対して被覆側ケース２４を正規の閉蓋状態とすると切欠部４３，４４に固定側ケース２３の突出片４１，４２がそれぞれ面一をなして整合し、その面一をなす整合面に封印紙４５を貼り付けることができるようになっている。
【００１３】
さらに、本実施形態では、固定側ケース２３にねじ止めされた回路基板２２上には、一方の長辺部２３ａの中央部やや内方部分には樹脂製のかしめ片４６がボス部２６にねじ止めされている。このかしめ片４６は板状をなしその一端部は固定側ケース２３の長辺部２３ａまで延びている。即ち、両ケース２３，２４が正規の閉蓋状態とされると、かしめ片４６のねじ止め部分は被覆側ケース２４で閉蓋されるが、かしめ片４６の端部はケース外に露出した状態となる。また、そのかしめ片４６の端部上面には短円柱状をなすかしめ突起４６ａが一体に形成されている。
【００１４】
一方、被覆側ケース２４において、閉鎖板３２の一方の長辺部（固定側ケース２３の一方の長辺部２３ａに対応する側の辺部であり、図３中、手前側の辺部）中央部には、その下縁部から規制片４７が下向きに延出形成されている。この規制片４７の下端部は、図４に示すように、閉鎖板３２を被覆側ケース２４の裏側に取り付けた状態で側壁２４ａの下縁部まで延び、その後外側へほぼ直角に折り曲げられている。即ち、被覆側ケース２４に閉鎖板３２を取り付けた状態で、規制片４７の下端部は側壁２４ａの下縁部中央から外側へ突出し、両ケース２３，２４を正規の閉蓋状態とした場合に固定側ケース２３のかしめ片４６の端部に重ねられるように設定されている。さらに、この折り曲げられた下端部には、かしめ孔４７ａが穿孔されており、正規の閉蓋状態でかしめ片４６のかしめ突起４６ａがここに嵌り込みかつその先端を僅かにかしめ孔４７ａから突出させるように設定されている。
【００１５】
＜第一実施形態の作用＞
基板収納ボックス２１内に回路基板２２を収納しかつ封印するための手順について述べる。まず、回路基板２２を固定側ケース２３上に重ね合わせ、回路基板２２の一方側の縁部を基板保持部２７に保持させかつ他方側の両隅をボス部２５にねじ止めする。さらに、この状態で、被覆側ケース２４を固定側ケース２３に対してほぼ９０度開いた姿勢で被覆側ケース２４の引っ掛け片３０を固定側ケース２３の引っ掛け孔２８に差し込む（図１及び図５参照）。そして、引っ掛け片３０を引っ掛け孔２８に係合させた状態のまま、被覆側ケース２４を固定側ケース２３に対する閉蓋方向に回動させる。続いて、被覆側ケース２４の取付片２９を回路基板２２上に押し付けた状態でボス部２５に共締めする。これにより、両ケース２３，２４は正規の閉蓋状態とされ、回路基板２２は基板収納ボックス２１内に収納される（図６参照）。
【００１６】
また、両ケース２３，２４が正規の閉蓋状態とされると、突出片４１，４２は切欠部４３，４４に面一に整合する。そして、その整合面に固定側ケース２３から被覆側ケース２４に跨るように封印紙４５を貼り付ける（図７参照、なお図７では突出片４２と切欠部４４との整合面のみ図示する。）。これにより、基板収納ボックス２１は封印紙４５をもって封印され、その封印紙４５を剥離しない限り開放されることはない。
【００１７】
さらに、両ケース２３，２４が正規の閉蓋状態とされると、被覆側ケース２４の下端部が固定側ケース２３のかしめ片４６の端部に重ね合わされる。すると、図６に示すように、かしめ突起４６ａがかしめ孔４７ａに嵌り込み、その先端が僅かに突出するから、その突出する部分を熱かしめする（図７参照）。これにより、被覆側ケース２４の規制片４７が固定側ケース２３のかしめ片４６にかしめ接続され、基板収納ボックス２１は熱かしめ部分を破壊或いは切断或しない限り開放されることはない。従って、基板収納ボックス２１は封印紙４５を貼り付けること及び規制片４７をかしめ片４６にかしめ接続することにより２重に封印される。
【００１８】
＜第一実施形態の効果＞
このように本実施形態では、固定側ケース２３のかしめ片４６に被覆側ケース２４の規制片４７をかしめ接続したことにより、封印紙４５を巧みに剥してボックス２１を開放しようとしても、規制片４７がこれに抗し、熱かしめ部分を破壊或いは切断しない限りこれを開放させることができない。従って、基板収納ボックス２１の封印状況が確実に保持される。また、熱かしめ部分を破壊或いは切断した場合には、その破壊等の痕跡によって封印が解かれたことが明きらかとなる。
また、かしめ治具をかしめ突起４６ａに押し付けるとかしめ突起４６ａは押されてかしめ孔４７ａから抜けてしめう虞があるが、本実施形態ではかしめ片４６の端部がボックス２１外に突出しており、かしめ片４６を下面側から押さ付けた状態でかしめ作業を行うことができるため、かしめ突起４６ａがかしめ孔４７ａから抜けてしまうことがなく、かしめ作業が非常に容易となる。
【００１９】
［第二実施形態］
図１０及び図１１は、本発明の第二実施形態を示すものである。先に示した第一実施形態では、固定側ケース２３がほぼ平板状をなし、周囲に側壁を持たないタイプのものに適用した場合を示したが、本実施形態では、固定側ケース２３の全縁が側壁を形成したものに適用する場合について述べる。
【００２０】
固定側ケース２３はアースをとる必要等の理由から多くの場合、金属製であり、被覆側ケース２４のように監視のための透明樹脂部分を設ける必要がない。したがって、第一実施形態のものもそうであったように、かしめ片５１はかしめ専用品として特別に設けらている。本実施形態ではこのかしめ片５１は、Ｌ字状に形成されており、回路基板２２の下側においてその一端部は回路基板２２とともに固定側ケース２３の一隅部に共締めされている。
【００２１】
また、このように固定側ケース２３に側壁を設けたものでは、ここに複数個の放熱孔５２が設けられることが多いため、本実施形態ではこの放熱孔５２を利用してかしめ片５１の他端部を外部へ引き出している。なお、選択される放熱孔５２は閉止の確実性のためには、中央部に位置するものが望ましい。したがって、かしめ片５１の他端部は中央まで延出させた後、屈曲させ、放熱孔５２より外部へ導くようにしている。
【００２２】
一方、規制片５３は、被覆側ケース２４に形成された切欠部５４から外側へ延出形成された後、下方に折り曲げられかつその下端部は正規の閉蓋状態でかしめ片５１の他端部に重ねられるように外側へ折り曲げ形成されている。また、かしめ片５１の他端部及び規制片５３の下端部には第一実施例同様にかしめ突起５１ａ及びかしめ孔５３ａが嵌合可能に形成されており、両ケース２３，２４が正規の閉蓋状態とされると、かしめ突起５１ａがかしめ孔５３ａに嵌め込まれてその突出部分を熱かしめすることができるようになっている。
このように本実施形態では、かしめ片５１の端部は放熱孔５２を利用して引き出されるため、側壁を有する固定側ケース２３に適用した場合でも専用の引き出し孔等を設ける必要がなく、容易にかしめ片５１の端部をケース外に引き出すことができる。
なお、その他の構成及びかしめ作業については、第一実施形態と同様であり、その説明は省略する。
【００２３】
［その他の実施形態］
なお、本発明は種々の変更が可能であり、次のような変形例も本発明の技術的範囲に含まれる。
（１）  上記各実施形態では、かしめ片４６，５１側にかしめ突起４６ａ，５１ａが形成され、規制片４７，５３側にはかしめ孔４７ａ，５３ａが形成されていたが、逆にかしめ片側にかしめ孔が形成され、規制片側にかしめ突起が形成されていてもよい。ただし、この場合にはかしめ突起はかしめ片の下面に突出することになるから、上記実施形態における基板収納ボックスではかしめ片の端部を回路基板上からさらに外側へはみ出した状態で取り付けておき、そのはみ出し部分において規制片を熱かしめするように構成する必要がある。
【００２４】
（２）  上記第一実施形態では、被覆側ケース２４の取付片２９を設けた側とは反対側は固定側ケース２３の他方の長辺部２３ｂに引っ掛けられることによって固定される構造であったが、被覆側ケースの４隅全てを固定側ケースにねじ止めする構造のものでもよい。
【００２５】
（３）  上記第一実施形態では、かしめ片４６は回路基板２２を固定するボス部２５とは別個に設けられたボス部２６にねじ止めされるように構成されていたが、回路基板を固定するためのボス部を利用して固定されるように構成してもよい。
ただし、この場合には、回路基板を固定するためのボス部が被覆側ケースによって閉蓋される位置にあることが必要である。
【００２６】
（４）  さらには、かしめ片を固定側ケースに直接内側からねじ止めするものであってもよく、要するに、かしめ片が被覆側ケースによって閉蓋される空間内において固定されかつ閉蓋された後にその固定が取り外されないものであればよい。
【００２８】
（５）  上記第一実施形態では、封印紙４５とかしめ接続とによる２重の封印構造であったが、封印紙による封印を行わずに、規制片とかしめ片とのかしめ接続だけの封印構造であってもよい。
【００２９】
（６）  上記各実施形態では、かしめ突起４６ａ，５１ａを熱かしめすることによりかしめ片４６，５１と規制片４７，５３とを接続するものであったが、かしめ片と規制片とを接着剤によって接続するもの等であってもよい。
【００３０】
（７）  上記各実施形態におけるかしめ片４６，５１は回路基板２２の上側或いは下側のどちら側に固定されるものであってもよい。
その他、本発明は要旨を逸脱しない範囲内で種々変更して実施することができる。
【図面の簡単な説明】
【図１】  第一実施形態の全体を示す斜視図である。
【図２】  同実施形態における固定側ケースを示す斜視図である。
【図３】  同実施形態における被覆側ケースと閉鎖板を示す分解斜視図である。
【図４】  同実施形態における規制片を示す部分拡大斜視図である。
【図５】同実施形態における固定側ケースの引っ掛け孔に被覆側ケースの引っ掛け片を係合させた状態を示す断面図である。
【図６】同実施形態における回路基板を収納した状態を示す断面図である。
【図７】同実施形態における回路基板を収納した状態を示す斜視図である。
【図８】同実施形態における遊技盤の裏面を示す背面図である。
【図９】同実施形態におけるパチンコ機の正面を示す正面図である。
【図１０】第二実施形態におけるかしめ片を示す部分拡大斜視図である。
【図１１】同実施形態におけるかしめ片と規制片との嵌合状態を示す部分拡大斜視図である。
【符号の説明】
２１…基板収納ボックス
２２…回路基板
２３…固定側ケース
２４…被覆側ケース
４６，５１…かしめ片（樹脂部材）
４７，５３…規制片（樹脂部材）
【図１】
0004154735.tif 000002
【図２】
0004154735.tif 000003
【図３】
0004154735.tif 000004
【図４】
0004154735.tif 000005
【図５】
0004154735.tif 000006
【図６】
0004154735.tif 000007
【図７】
0004154735.tif 000008
【図８】
0004154735.tif 000009
【図９】
0004154735.tif 000010
【図１０】
0004154735.tif 000011
【図１１】
0004154735.tif 000012